(57)【特許請求の範囲】
【請求項１】
以下を含むトラクター用作動液組成物：
（ａ）主要量の潤滑粘度の油；
（ｂ）以下を含む清浄剤組成物
（ｉ）少なくとも１種の低過塩基性アルカリールスルホネートカルシウム塩であって、
ここで、当該アルカリール基は、プロピレン又はイソブチレンオリゴマーから導かれるアルキル基で置換されたアリール基であり、当該オリゴマーは、１５〜１８個の炭素原子を有し、
ここで、当該油組成物中に存在するプロピレン又はイソブチレンオリゴマーから導かれるアルキル基で置換されたアリール基であるアルカリール基を有する全ての当該少なくとも１種の低過塩基性アルカリールスルホネートカルシウム塩のカルシウム含有量が、当該トラクター用作動液組成物の０．０１〜０．０６重量％である、前記の低過塩基性アルカリールスルホネートカルシウム塩；及び
（ｉｉ）少なくとも１種の低過塩基性アルカリールスルホネートカルシウム塩であって、
ここで、当該アルカリール基は、少なくとも１種のノルマルアルファオレフィン又は異性化されたノルマルアルファオレフィンから導かれるアルキル基で置換されたアリール基であり、前記オレフィンは２０〜２４個の炭素原子を有し、
ここで、当該少なくとも１種のノルマルアルファオレフィン又は異性化されたノルマルアルファオレフィンから導かれるアルキル基で置換されたアリール基であるアルカリール基を有する全ての当該少なくとも１種の低過塩基性アルカリールスルホネートカルシウム塩のカルシウム含有量が、当該トラクター用作動液組成物の０．０１〜０．０６重量％である、前記の低過塩基性アルカリールスルホネートカルシウム塩；
（ｃ）少なくとも１種のヒドロカルビル多価アルコールであって、
ここで、当該少なくとも１種のヒドロカルビル多価アルコールは、（ａ）当該トラクター用作動液組成物の０．５〜１．０重量％であり、そして、（ｂ）グリセロールではない；及び
（ｄ）第二級アルキル基を有する少なくとも１種の第二級ジアルキルジチオリン酸亜鉛であって；
ここで、第二級アルキル基を有する当該少なくとも１種のジアルキルジチオリン酸亜鉛によって提供される全リン含有量は、当該トラクター用作動液組成物中で０．０５５〜０．１１０重量％であり、そして、
ここで、第二級アルキル基を有する当該ジアルキルジチオリン酸亜鉛は、当該トラクター用作動液組成物中に存在する全てのジアルキルジチオリン酸亜鉛によって提供されるリン含有量の５０〜１００重量％を提供し、
ここで、低過塩基性とは、２００未満の全アルカリ価を有する過塩基性塩のことを言う。
【請求項２】
（ｂ）（ｉ）又は（ｂ）（ｉｉ）の少なくとも１種の低過塩基性アルカリールスルホネートカルシウム塩のアルカリール基が、アルキル置換ベンゼン基又はアルキル置換トリル基である、請求項１のトラクター用作動液組成物。
【請求項３】
（ｂ）（ｉ）及び（ｂ）（ｉｉ）の少なくとも１種のアルカリールスルホネートカルシウム塩の各々が、９０未満の全アルカリ価を有する低過塩基性塩である、請求項１のトラクター用作動液組成物。
【請求項４】
全アルカリ価が２〜６０である、請求項３のトラクター用作動液組成物。
【請求項５】
（ｂ）（ｉ）の当該少なくとも１種のアルカリールスルホネートカルシウム塩の当該アルキル基が、プロピレンオリゴマーから導かれる、請求項１のトラクター用作動液組成物。
【請求項６】
当該少なくとも１種のヒドロカルビル多価アルコールが、アルカン１，２−ジオール又はアルケン１，２−ジオールである、請求項１のトラクター用作動液組成物。
【請求項７】
当該ヒドロカルビル多価アルコールが１２〜３０個の炭素原子を有する、請求項１のトラクター用作動液組成物。
【請求項８】
当該トラクター用作動液組成物が少なくとも１種の窒素含有分散剤を更に含み、しかも、当該油組成物中に存在する全ての当該少なくとも１種の窒素分散剤の窒素が、当該トラクター用作動液組成物の０．０１〜１．０重量％である、請求項１のトラクター用作動液組成物。
【請求項９】
当該トラクター用作動液組成物が、高過塩基性アルカリールスルホネートアルカリ土類金属塩を更に含み、
ここで、高過塩基性とは、２００以上の全アルカリ価を有する過塩基性塩のことを言う、請求項１のトラクター用作動液組成物。
【請求項１０】
当該トラクター用作動液組成物が、中性又は過塩基性アルカリ土類金属フェネート塩を含有しない、請求項１のトラクター用作動液組成物。
【請求項１１】
当該トラクター用作動液組成物が、マグネシウムヒドロカルビルスルホネートを含有しない、請求項１のトラクター用作動液組成物。
【請求項１２】
当該トラクター用作動液組成物が、亜リン酸水素ジアルキルを含有しない、請求項１のトラクター用作動液組成物。
【請求項１３】
当該トラクター用作動液組成物が、第一級アルキル基を有するジアルキルジチオリン酸亜鉛を更に含む、請求項１のトラクター用作動液組成物。
【請求項１４】
当該トラクター用作動液が、酸化防止剤を更に含む、請求項１のトラクター用作動液組成物。
【発明の詳細な説明】
【技術分野】
【０００１】
分野
例えば農業機械に使用するための、中性又は低過塩基性アルカリールスルホネートカルシウム塩、ヒドロカルビル多価アルコール、及びジアルキルジチオリン酸亜鉛を含むトラクター用作動液（油圧油、作動油）組成物をここに提供する。
【背景技術】
【０００２】
背景
トラクター用作動液組成物は、政府規制又は機器製造業者によって決められた厳格でしばしば厳しい仕様に対して形成される。用途に応じて、当該組成物は、潤滑粘度の基油と一緒に、分散剤、洗浄剤、酸化防止剤、摩耗防止剤、さび止め剤、腐食防止剤、抑泡剤、摩擦調整剤、及び／又は他の添加剤を含有してもよい。
【０００３】
トラクター用作動液は、トラクターにおける潤滑剤用途に使用される汎用製品であり、当該潤滑剤用途は、ギヤボックス、パワーテイクオフ及びクラッチ、リヤ・アクスル、減速ギヤ、湿式ブレーキ、及び油圧アクセサリーの潤滑を含むがそれらに限定されない。トラクター用流体内に含まれる成分は、最終的に生じる流体組成物が特別な用途で要求される全ての必要な特性を提供するように、慎重に選択されなければならない。そのような特性は、湿式ブレーキを作動させてパワーテイクオフ（ＰＴＯ）クラッチ性能を提供する能力を提供すると同時に油浸ブレーキの湿式ブレーキチャターを妨げる適切な摩擦特性を提供する能力を含んでもよい。トラクター用作動液は、例えば農業機械に、例えば油圧ポンプ、トランスミッション、クラッチ、ギヤ、及び湿式ブレーキを潤滑にするために、使用される。農業機械は、水が存在する設定、例えば水田及び湿潤気候で頻繁に操作される。従って、農業機械用潤滑油組成物は、例えばブレーキチャタリング及びブレーキノイズなどの水汚染の影響を最小限に抑えると同時に望ましい潤滑特性を提供するために形成されなければならない。
【発明の概要】
【発明が解決しようとする課題】
【０００４】
こうして、例えばブレーキノイズなどの水汚染の負の影響を最小限に抑え又は妨げながら、望ましい摩擦特性を提供するトラクター用作動液組成物の必要性がある。
【課題を解決するための手段】
【０００５】
要約
ここに以下を提供する：
以下を含むトラクター用作動液組成物：
（ａ）主要量の潤滑粘度の油；
（ｂ）以下を含む清浄剤組成物
（ｉ）少なくとも１種の中性又は低過塩基性アルカリールスルホネートカルシウム塩であって、
ここで、当該アルカリール基は、プロピレン又はイソブチレンオリゴマーから導かれるアルキル基で置換されたアリール基である；及び
（ｉｉ）少なくとも１種の中性又は低過塩基性アルカリールスルホネートカルシウム塩であって、
ここで、当該アルカリール基は、少なくとも１種のノルマルアルファオレフィン又は異性化されたノルマルアルファオレフィンから導かれるアルキル基で置換されたアリール基であり、前記オレフィンは約１８〜約３０個の炭素原子を有する；
（ｃ）少なくとも１種のヒドロカルビル多価アルコールであって、
ここで、当該少なくとも１種のヒドロカルビル多価アルコールは、（ｉ）当該トラクター用作動液組成物の０．０１〜５重量％であり、そして、（ｉｉ）グリセロールではない；及び
（ｄ）第二級アルキル基を有する少なくとも１種のジアルキルジチオリン酸亜鉛であって；
ここで、第二級アルキル基を有する当該少なくとも１種のジアルキルジチオリン酸亜鉛からのリン含有量は、当該トラクター用作動液組成物中に存在する全てのジアルキルジチオリン酸亜鉛から導かれるリン含有量の少なくとも３０重量％である。
【発明を実施するための形態】
【０００６】
詳細な記述
定義
ここで使用する時、“ヒドロカルビル”とは、例えば、アルキル、アルケニル、アルキニル、及びアリール基などの水素及び炭素を含有する基のことを言う。ヒドロカルビル基は、環状、非環式、分岐、又は直鎖基によってできる。
【０００７】
ここで使用する時、“アルキル”とは、炭素原子を含有する直鎖又は分岐炭化水素基のことを言う。いくつかの形態では、当該アルキル基は、少なくとも、１、５、１０、１５、２０、２５、３０、５０、１００、５００、１０００又は２０００個の炭素原子を含有する。
【０００８】
ここで使用する時、“アルケニル”とは、少なくとも２個の炭素原子及び１つ以上の炭素−炭素二重結合を含有する直鎖又は分岐炭化水素基のことを言う。ここで使用する時、“アルキニル”とは、少なくとも２個の炭素原子及び１つ以上の炭素−炭素三重結合を含有する直鎖又は分岐炭化水素基のことを言う。いくつかの形態では、当該アルケニル又はアルキニル基は、少なくとも、１、５、１０、１５、２０、２５、３０、５０、１００、５００、１０００又は２０００個の炭素原子を含有する。
【０００９】
ここで使用する時、“アリール”とは、６個以上の炭素原子を有する芳香族単環式又は多環式炭化水素基のことを言う。当該アリール基は、１つ以上のヒドロカルビル基で場合により置換される。いくつかの形態では、当該アリール基は６〜１４個の炭素原子を有する。アリール基は、フェニル、ナフチル、及びフルオレニル基を含むが、それらに限定されない。典型的な置換アリール基はトリル基を含むがそれに限定されない。
【００１０】
ここで使用する時、“アルカリール”とは、１つ以上のアルキル基で置換されたアリール基のことを言う。
【００１１】
ここで使用する時、“清浄剤組成物”とは、油又は潤滑剤に洗浄剤特性を提供し及びそれと組み合わせるのに適切な組成物のことを言う。ここに記載の当該清浄剤組成物は、潤滑粘度の油と組み合わせて、トラクター用作動液を形成する。その上、ここに記載の当該清浄剤組成物は、以下を含む：（ｉ）少なくとも１種の中性又は低過塩基性アルカリールスルホネートカルシウム塩であって、ここで、当該アルカリール基は、プロピレン又はイソブチレンオリゴマーから導かれるアルキル基で置換されたアリール基である；及び（ｉｉ）少なくとも１種の中性又は低過塩基性アルカリールスルホネートカルシウム塩であって、ここで、当該アルカリール基は、少なくとも１種のノルマルアルファオレフィン又は異性化されたノルマルアルファオレフィンから導かれるアルキル基で置換されたアリール基であり、前記オレフィンは約１８〜約３０個の炭素原子を有する。
【００１２】
ここで使用する時、“主要量”とは、ここに記載のトラクター用作動液組成物の少なくとも５０重量％である量のことを言う。いくつかの形態では、当該量は、少なくとも６０、少なくとも７０、少なくとも８０、又は少なくとも９０重量％である。
【００１３】
ここで使用する時、“ＴＢＮ”とは、“全アルカリ価”（全塩基価）のことを言い、そして、逆アルカリ度の尺度である。概括的な言葉では、ＴＢＮは、同等の中和を提供する水酸化カリウムのｍｇ数と同じ数で表わした潤滑組成物の１グラムの中和能である。このようにして、１０のＴＢＮは、１グラムの当該組成物が１０ｍｇの水酸化カリウムと同じ中和能を有することを意味する。試料のＴＢＮは、ＡＳＴＭ  Ｔｅｓｔ  Ｎｏ．Ｄ２８９６によって決定でき、その全体又はいかなる他の同等の手順が参照としてここに取り込まれる。
【００１４】
用語“過塩基性”とは、例えば存在するカルシウムなどの金属対イオンが化学量論量を超える塩のことを言う。過塩基性塩は、１００％を超過するコンバージョンレベルを有すると言われている（すなわち、それらは、酸をその“正塩”、“中性”塩に転化するために必要な金属の理論量の１００％よりも多くを含む）。“金属比”の表現は、しばしばＭＲと省略され、公知の化学反応性及び化学量論に従って中性塩中の金属の化学当量に対する過塩基性塩中の金属の全化学当量の比率を示す。このようにして、正塩又は中性塩中では、当該金属比は１であり、そして、過塩基性塩中では、ＭＲは１よりも大きい。
【００１５】
用語“低過塩基性”とは、２００未満の全アルカリ価を有する過塩基性塩のことを言う。
【００１６】
用語“高過塩基性”とは、２００以上の全アルカリ価を有する過塩基性塩のことを言う。
【００１７】
組成物
ここに以下を提供する：
以下を含むトラクター用作動液組成物：
（ａ）主要量の潤滑粘度の油；
（ｂ）以下を含む清浄剤組成物
（ｉ）少なくとも１種の中性又は低過塩基性アルカリールスルホネートカルシウム塩であって、
ここで、当該アルカリール基は、プロピレン又はイソブチレンオリゴマーから導かれるアルキル基で置換されたアリール基である；及び
（ｉｉ）少なくとも１種の中性又は低過塩基性アルカリールスルホネートカルシウム塩であって、
ここで、当該アルカリール基は、少なくとも１種のノルマルアルファオレフィン又は異性化されたノルマルアルファオレフィンから導かれるアルキル基で置換されたアリール基であり、前記オレフィンは約１８〜約３０個の炭素原子を有する；
（ｃ）少なくとも１種のヒドロカルビル多価アルコールであって、
ここで、当該少なくとも１種のヒドロカルビル多価アルコールは、（ｉ）当該トラクター用作動液組成物の０．０１〜５重量％であり、そして、（ｉｉ）グリセロールではない；及び
（ｄ）第二級アルキル基を有する少なくとも１種のジアルキルジチオリン酸亜鉛であって；
ここで、第二級アルキル基を有する当該少なくとも１種のジアルキルジチオリン酸亜鉛からのリン含有量は、当該トラクター用作動液組成物中に存在する全てのジアルキルジチオリン酸亜鉛から導かれるリン含有量の少なくとも３０重量％である。
【００１８】
中性又は低過塩基性アルカリールスルホネートカルシウム塩
ここに記載の組成物は、２つの中性又は低過塩基性アルカリールスルホネート塩を含有する清浄剤組成物を含み、その各々は特定の化学構造を有する。特に、当該組成物は、以下を含む：
（ｉ）少なくとも１種の中性又は低過塩基性アルカリールスルホネートカルシウム塩であって、ここで、当該アルカリール基は、プロピレン又はイソブチレンオリゴマーから導かれるアルキル基で置換されたアリール基である；及び
（ｉｉ）少なくとも１種の中性又は低過塩基性アルカリールスルホネートカルシウム塩であって、ここで、当該アルカリール基は、少なくとも１種のノルマルアルファオレフィン又は異性化されたノルマルアルファオレフィンから導かれるアルキル基で置換されたアリール基であり、前記オレフィンは約１８〜約３０個の炭素原子を有する。
これらの中性又は低過塩基性アルカリールスルホネートカルシウム塩は、ここに記載の組成物中で例えば洗浄剤として働くことができる。
【００１９】
いくつかの形態では、プロピレン又はイソブチレンオリゴマーから導かれるアルキル基で置換されたアリール基であるアルカリール基を有する当該少なくとも１種の中性又は低過塩基性アルカリールスルホネートカルシウム塩は、以下の式を有する：
【化１】
0006513098.tif 000002
ここで、Ｒは、プロピレン又はイソブチレンオリゴマーから導かれるアルキル基であり；
ＲＸは、水素又はメチルであり、
ｍは、０〜５であり；そして
ｎは１以上である。
いくつかの形態では、ｍは０．１〜５である。いくつかの形態では、ｎは１である。いくつかの形態では、当該アルキル基は、３〜３６、９〜２７、又は１５〜１８個の炭素を有する。いくつかの形態では、当該アルキル基は、プロピレンオリゴマーから導かれる。
【００２０】
いくつかの形態では、少なくとも１種のノルマルアルファオレフィン又は異性化されたノルマルアルファオレフィンから導かれるアルキル基で置換されたアリール基であるアルカリール基を有し、前記オレフィンが約１８〜約３０個の炭素原子を有する、当該少なくとも１種の中性又は低過塩基性アルカリールスルホネートカルシウム塩は、以下の構造を有する：
【化２】
0006513098.tif 000003
ここで、Ｒは、少なくとも１種のノルマルアルファオレフィン又は異性化されたノルマルアルファオレフィンから導かれるアルキル基であり、前記オレフィンは約１８〜約３０個の炭素原子を有し；
ＲＸは、水素又はメチルであり、
ｍは、０〜５であり；そして
ｎは、１以上である。
いくつかの形態では、ｍは０．１〜５である。いくつかの形態では、ｎは１である。
【００２１】
いくつかの形態では、上記の中性又は低過塩基性アルカリールスルホネートカルシウム塩（ｉ）又は（ｉｉ）の各々は、中性又は低過塩基性アルキル置換ベンゼン又は中性又は低過塩基性アルキル置換トルエンスルホネートカルシウム塩である。
【００２２】
当該油組成物中に存在するプロピレン又はイソブチレンオリゴマーから導かれるアルキル基で置換されたアリール基であるアルカリール基を有する当該少なくとも１種の中性又は低過塩基性アルカリールスルホネートカルシウム塩によって占めるカルシウム含有量は、当該油組成物の０．００１〜０．４重量％である。いくつかの形態では、当該カルシウム含有量は、当該油組成物の、０．００１〜０．３、０．００１〜０．２、０．００１〜０．１、０．００１〜０．０５、０．０１〜０．０６、又は０．０２〜０．０５重量％である。
【００２３】
当該油組成物中に存在する約１８〜約３０個の炭素原子を有するオレフィンである少なくとも１種のノルマルアルファオレフィン又は異性化されたノルマルアルファオレフィンから導かれるアルキル基で置換されたアリール基であるアルカリール基を有する当該少なくとも１種の中性又は低過塩基性アルカリールスルホネートカルシウム塩によって占めるカルシウム含有量は、当該油組成物の０．００１〜０．４重量％である。いくつかの形態では、当該カルシウム含有量は、当該油組成物の、０．００１〜０．３、０．００１〜０．２、０．００１〜０．１、０．００１〜０．０５、０．０１〜０．０６、又は０．０２〜０．０５重量％である。
【００２４】
いくつかの形態では、当該中性又は低過塩基性アルカリールスルホネートカルシウム塩（ｉｉ）は、当該アルカリール基が、少なくとも１種のノルマルアルファオレフィン又は異性化されたノルマルアルファオレフィンから導かれるアルキル基で置換されたアリール基であるものであり、前記オレフィンは約２０〜約２４個の炭素原子を有する。
【００２５】
いくつかの形態では、当該アルカリールスルホネートカルシウム塩（ｉ）又は（ｉｉ）の各々又は両方は、中性である。いくつかの形態では、当該アルカリールスルホネートカルシウム塩（ｉ）又は（ｉｉ）の各々又は両方は、低過塩基性であり、ここで、ＴＢＮは、２００未満、１９０未満、１８０未満、１７０未満、１６０未満、１５０未満、１４０未満、１３０未満、１２０未満、１１０未満、１００未満、９０未満、８０未満、７０未満、６０未満、５０未満、４０未満、３０未満、２０未満，又は１０未満である。いくつかの形態では、当該アルカリールスルホネートカルシウム塩（ｉ）又は（ｉｉ）の各々又は両方は、２〜１００、２〜８０、又は２〜６０のＴＢＮを有する。
【００２６】
ヒドロカルビル多価アルコール
ここに記載の当該組成物は、少なくとも１種のヒドロカルビル多価アルコールを含む。いくつかの形態では、当該ヒドロカルビル多価アルコールは、式Ｒ（ＯＨ）ｘを有し、ここで、Ｘは、２〜６の整数であり、Ｒはヒドロカルビル基である。いくつかの形態では、当該ヒドロカルビル多価アルコールは、アルキル多価アルコール又はアルケニル多価アルコールである。いくつかの形態では、当該ヒドロカルビル多価アルコールは、ジオールである。いくつかの形態では、当該ジオールは、１，２−ジオールである。いくつかの形態では、当該ヒドロカルビル基又は当該ヒドロカルビルアルコールは、１２〜３０、１４〜２０、又は１６〜１８個の炭素原子を有する。
【００２７】
いくつかの形態では、当該ヒドロカルビル多価アルコールは、アルカン１，２−ジオール又はアルケン１，２−ジオールであり、ここで、当該ヒドロカルビル多価アルコールは、１２〜３０個の炭素原子を有する。ある形態では、当該ヒドロカルビル多価アルコールは、１４〜２０個の炭素原子を有する。いくつかの形態では、当該ヒドロカルビル多価アルコールは、１，２−ヘキサデカンジオール又は１，２−オクタデカンジオールである。
【００２８】
いくつかの形態では、当該組成物は、２種以上のヒドロカルビル多価アルコールを含有する。
【００２９】
当該少なくとも１種のヒドロカルビル多価アルコールは、当該油組成物の０．０１〜５重量％である。いくつかの形態では、当該少なくとも１種のヒドロカルビル多価アルコールは、当該油組成物の０．０１〜４、０．０１〜３、０．０１〜２、０．０１〜１、０．１〜１、０．３〜０．８、０．４〜０．７、又は０．５重量％である。
【００３０】
いくつかの形態では、当該油組成物は、グリセロールを含有しない。
【００３１】
第二級アルキル基を有するジアルキルジチオリン酸亜鉛
ここに記載の当該組成物は、第二級アルキル基を有する少なくとも１種のジアルキルジチオリン酸亜鉛を含む。これらの化合物は、ここに記載の当該組成物中で、例えば耐摩耗剤として働くことができる。第二級アルキル基を有するジアルキルジチオリン酸亜鉛は、業界で公知である。第二級アルキル基を有するジアルキルジチオリン酸亜鉛を調製する典型的な方法は、アルコールを五硫化リンと反応させ、その後、得られる中間体を酸化亜鉛で中和することを含む。いくつかの形態では、第二級アルキル基を有する当該ジアルキルジチオリン酸亜鉛は、以下の構造を有する：
【化３】
0006513098.tif 000004
ここで、Ｒは、第二級アルキル基である。いくつかの形態では、第二級アルキル基を有する当該ジアルキルジチオリン酸亜鉛は、１つ以上の第二級アルコールから導かれる。典型的な第二級アルコールは、２−ブタノール又は４−メチル２−ペンタノールを含むが、それらに限定されない。いくつかの形態では、第二級アルキル基を有する当該ジアルキルジチオリン酸亜鉛は、ジイソプロピルジチオリン酸亜鉛、ジ−ｓｅｃ−ブチルジチオリン酸亜鉛、ジ−ｓｅｃ−ペンチルジチオリン酸亜鉛、又は、ジ−ｓｅｃ−ヘキシルジチオリン酸亜鉛、又はそれらの混合物を含む。
【００３２】
第二級アルキル基を有する当該少なくとも１種のジアルキルジチオリン酸亜鉛からのリン含有量は、当該トラクター用作動液組成物中に存在する全てのジアルキルジチオリン酸亜鉛から導かれるリン含有量の少なくとも３０重量％である。いくつかの形態では、当該リン含有量は、少なくとも４０、少なくとも５０、少なくとも６０、少なくとも７０、少なくとも８０、少なくとも９０、又は１００重量％である。
【００３３】
潤滑粘度の油
適切な潤滑粘度の油は、鉱油、合成油又は植物油から導かれる基油を含むが、それらに限定されない。いくつかの形態では、当該油は、約４０℃で少なくとも約２．５ｃＳｔの粘度及び約２０℃未満であっていくつかの形態では０℃未満の流動点を有する。当該基油は、合成源又は天然源から導かれてもよい。基油は、参照としてここに取り込むAmerican Petroleum Institute Publication 1509で定義されるようなＩ種〜Ｖ種ベースストックのいかなる１種又はそれらの組合せから導かれてもよい。いくつかの形態では、２つのＩ種鉱油の混合物を含む鉱物性物質の混合物が使用される。いくつかの形態では、当該混合物は、１００℃で４．４ｍｍ２／ｓの動粘度を有するＩ種鉱油と１００℃で７．３ｍｍ２／ｓの動粘度を有するＩ種鉱油との混合物である。
【００３４】
本発明において当該基油として使用するための鉱油は、例えば、潤滑油組成物で通常使用されるパラフィン系、ナフテン系及び他の油を含む。植物油は、例えば、カノーラ油又は大豆油を含んでもよい。合成油は、例えば、所望の粘度を有する炭化水素合成油及び合成エステルの両方及びそれらの混合物を含む。炭化水素合成油は、フィッシャー・トロプシュ法などにおいて一酸化炭素及び水素ガスを使用する炭化水素合成手順から、又は、エチレンの重合、すなわちポリアルファオレフィン又はＰＡＯから調製される油を例えば含んでもよい。典型的な合成炭化水素油は、適切な粘度を有するアルファオレフィンの液体ポリマーを含む。いくつかの形態では、当該油は、１−デセン三量体などのＣ６〜Ｃ１２アルファオレフィンの水素化液体オリゴマーである。いくつかの形態では、ジドデシルベンゼンなどの適切な粘度のアルキルベンゼンを使用できる。典型的な合成エステルは、モノヒドロキシアルカノール及びポリオールと同様に、モノカルボン酸及びポリカルボン酸のエステルを含む。実施例は、アジビン酸ジドデシル、ペンタエリスリトールテトラカプロエート、アジビン酸ジ−２−エチルヘキシル、セバシン酸ジラウリルなども含むが、それらに限定されない。モノ及びジカルボン酸及びモノ及びジヒドロキシアルカノールの混合物から調製される複合エステルも使用できる。典型的な油は、鉱油と合成油とのブレンドも含む。
【００３５】
他の添加剤
いくつかの形態では、ここに記載の当該組成物は、分散剤、酸化防止剤、さび止め剤、粘度指数向上剤、抗乳化剤、流動点降下剤、抑泡剤、金属不活性化剤、及び多機能添加剤などの、追加の添加剤成分を含む。
【００３６】
１．分散剤
典型的な分散剤は、窒素含有分散剤を含むが、それらに限定されない。ある形態では、当該油組成物中に存在する全ての当該窒素分散剤によって占める窒素含有量は、当該油組成物の０．０１〜１．０重量％である。典型的な分散剤は、以下も含むが、それらに限定されない：アルケニルスクシンイミド、他の有機化合物で変性されたアルケニルスクシンイミド、ホウ酸又はエチレンカーボネートで後処理によって変性されたアルケニルスクシンイミド、ポリイソブテニル無水コハク酸と多価アルコールのエステル、フェネート−サリチレート及びそれらの後処理類似物、アルカリ金属又は混合アルカリ金属、アルカリ土類金属ボレート、水和アルカリ金属ボレートの分散体、アルカリ土類金属ボレートの分散体、ポリアミド無灰分散剤など、又はそのような分散剤の混合物。
【００３７】
２．酸化防止剤
典型的な酸化防止剤は、以下のフェノール型（フェノール系）酸化防止剤を含むが、それらに限定されない：４，４’−メチレン−ビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレン−ビス（４−メチル−６−ｔｅｒｔ−ブチルフェノール）、４，４’−ブチルデン−ビス（３−メチル−６−ｔｅｒｔ−ブチルフェノール）、４，４’−イソプロピリデン−ビス（２，６−ジ−ｔｅｒｔ−ブチルフェノール）、２，２’−メチレン−ビス（４−メチル−６−ノニルフェノール）、２，２’−イソブチリデン−ビス（４，６−ジメチルフェノール）、２，２’−メチレン−ビス（４−メチル−６−シクロヘキシルフェノール）、２，６−ジ−ｔｅｒｔ−ブチル−１−４−メチルフェノール、２，６−ジ−ｔｅｒｔ−ブチル−４−エチルフェノール、２，４−ジメチル−６−ｔｅｒｔ−ブチルフェノール、２，６−ジ−ｔｅｒｔ−ジメチルアミノ−ｐ−クレゾール、２，６−ジ−ｔｅｒｔ−４−（Ｎ，Ｎ’−ジメチルアミノメチルフェノール）、４，４’−チオビス（２−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−ブチルベンジル）−スルフィド、及びビス（３，５−ジ−ｔｅｒｔ−ブチル−４−ヒドロキシベンジル）など。いくつかの形態では、当該フェノール系酸化防止剤は、ペンタエリスリトールテトラキス（３−（３，５−ジ−ｔｅｒｔ−ブチル−４−ヒドロキシフェニル）プロピオネート）、オクタデシル  ３−（３，５−ジ−ｔｅｒｔ−ブチル−４−ヒドロキシフェニル）プロピオネート、ヘキサメチレンビス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート、又はベンゼンプロパン酸、３，５−ビス（１，１−ジメチルエチル）−４−ヒドロキシ−、Ｃ７−９分岐アルキルエステルである。ジフェニルアミン型酸化防止剤は、アルキル化ジフェニルアミン、フェニル−アルファ−ナフチルアミン、及びアルキル化−アルファ−ナフチルアミンを含むが、それらに限定されない。他の型の酸化防止剤は、金属ジチオカルバメート（例えば、ジチオカルバミド酸亜鉛）、及びメチレンビス（ジブチルジチオカルバメート）を含む。
【００３８】
３．さび止め剤
典型的なさび止め剤は、以下を含むが、それらに限定されない：非イオン性ポリオキシエチレン界面活性剤、ポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアレート、ポリオキシエチレンソルビトールモノオレエート、及びポリエチレングリコールモノオレエート。他の化合物は、以下を含む：ステアリン酸及び他の脂肪酸、ジカルボン酸、金属セッケン、脂肪酸アミン塩、重質スルホン酸の金属塩、多価アルコールの部分カルボン酸エステル、及びリン酸エステル。
【００３９】
４．粘度指数向上剤
典型的な粘度指数向上剤は、以下を含むが、それらに限定されない：ポリメタクリレート型ポリマー、エチレン−プロピレンコポリマー、スチレン−イソプレンコポリマー、水素化スチレン−イソプレンコポリマー、ポリイソブチレン、及び分散剤型粘度指数向上剤。
【００４０】
５．抗乳化剤
典型的な抗乳化剤は、以下を含むが、それらに限定されない：ポリオキシエチレンソルビタンエステル、及びポリオキシエチレンアルキルエーテル、及びエチレンオキシド及びアルキルフェノールの付加生成物。
【００４１】
６．流動点降下剤
典型的な流動点降下剤は、ポリメチルメタクリレートを含むが、それらに限定されない。
【００４２】
７．抑泡剤
典型的な抑泡剤は、アルキルメタクリレートポリマー及びジメチルシリコーンポリマーを含むが、それらに限定されない。
【００４３】
８．金属不活性化剤
典型的な金属不活性化剤は、以下を含むが、それらに限定されない：ジサリチリデンプロピレンジアミン、トリアゾール誘導体、メルカプトベンゾチアゾール、チアジアゾール誘導体、及びメルカプトベンズイミダゾール。
【００４４】
９．多機能添加剤
典型的な多機能添加剤は、以下を含むが、それらに限定されない：硫化オキシモリブデンジチオカルバメート、硫化オキシモリブデン有機ホスホロジチオエート、オキシモリブデンモノグリセリド、オキシモリブデンジエチレートアミド、アミン−モリブデン複合化合物、及び硫黄含有モリブデン複合化合物。
【００４５】
いくつかの形態では、当該油組成物は、亜リン酸水素ジアルキルを含有しない。いくつかの形態では、当該油組成物は、Ｒがアルキル基又はアルケニル基である式（ＲＯ）２ＰＨ（Ｏ）を有するホスフェートエステルを含有しない。
【００４６】
１０．高過塩基性スルホネートアルカリ土類金属塩
いくつかの形態では、ここに記載の当該組成物は、高過塩基性アルカリールスルホネートアルカリ土類金属塩を更に含む。そのような化合物は、２００以上のＴＢＮを有する。いくつかの形態では、ＴＢＮは、２００〜６００、又は２００〜５００、又は２００〜４５０、又は２００〜４００、又は２００〜３５０、又は２００〜３００、又は２００〜２５０である。いくつかの形態では、当該アルカリ土類金属は、カルシウム又はマグネシウムである。いくつかの形態では、当該高過塩基性スルホネートアルカリ土類金属塩は、アルカリールスルホネートアルカリ土類金属塩である。
【００４７】
１１．第一級アルキル基を有するジアルキルジチオリン酸亜鉛
いくつかの形態では、ここに記載の当該組成物は、第一級アルキル基を有するジアルキルジチオリン酸亜鉛を含む。典型的な化合物は、以下を含むが、それらに限定されない：ジ−イソブチルジチオリン酸亜鉛、ジ−ｎ−ヘキシルジチオリン酸亜鉛、ジ−ｎ−オクチルジチオリン酸亜鉛、ジ−２−エチルヘキシルジチオリン酸亜鉛、ジ−ｎ−デシルジチオリン酸亜鉛、ジ−ｎ−ドデシルジチオリン酸亜鉛、ジ−イソトリデシルジチオリン酸亜鉛、又はそれらの混合物。
【００４８】
いくつかの形態では、当該油組成物は、中性又は過塩基性アルカリ土類金属フェネート塩を含有しない。いくつかの形態では、当該油組成物は、マグネシウムヒドロカルビルスルホネートを含有しない。
【００４９】
実施例
ＳＡＥ  Ｎｏ．２摩擦試験及びブレーキノイズ試験を利用して、比較の組成物に対して、典型的な油組成物を評価した。４種の典型的な（実施例の）組成物（Ｅｘ  １−４）及び７種の比較例（参考例）（Ｒｅｆ  １−７）を、以下の記載のコンセントレート及び成分から形成した。
【表１】
0006513098.tif 000005
【００５０】
カルシウムスルホネートＡは、Ｃ１５−Ｃ１８プロピレンオリゴマーから導かれるアルキル置換ベンゼンスルホン酸から導かれる低過塩基性カルシウムスルホネートである。当該組成物は、２１ｍｇＫＯＨ／ｇのＴＢＮ、２．６ｗｔ％のカルシウム含有量及び４８ｗｔ％の希釈油を有するスルホネートのコンセントレートから形成された。
【００５１】
カルシウムスルホネートＢは、異性化されたＣ２０−Ｃ２４オレフィンから導かれるアルキル置換トルエンスルホン酸から導かれる低過塩基性カルシウムスルホネートである。当該組成物は、１９ｍｇＫＯＨ／ｇのＴＢＮ、２．３５ｗｔ％のカルシウム含有量、及び４６ｗｔ％の希釈油を有するスルホネートのコンセントレートから形成された。
１２ｍＭ／Ｋｇの低過塩基性カルシウムスルホネート洗浄剤を含有した実施例３を除いて、各々の組成物は、９ｍＭ／Ｋｇの低過塩基性カルシウムスルホネート洗浄剤を含有した。
【００５２】
ＺＤＴＰ  Ａは、６９ｗｔ％の２−ブタノール及び３１ｗｔ％の４−メチル−２−ペンタノールを含有する混合物から導かれる第二級ジアルキルジチオリン酸亜鉛である。当該組成物は、７．２ｗｔ％のリン含有量、７．８５ｗｔ％の亜鉛含有量、及び２５ｗｔ％の希釈油を有するコンセントレートから形成された。
【００５３】
ＺＤＴＰ  Ｂは、２−エチル−１−ヘキサノールから導かれる第一級ジアルキルジチオリン酸亜鉛である。当該組成物は、７．２８ｗｔ％のリン含有量、８．５９ｗｔ％の亜鉛含有量、及び８．５ｗｔ％の希釈油を有するコンセントレートから形成された。
【００５４】
多価アルコールＡ摩擦調整剤は、１，２−ヘキサデカンジオール及び１，２−オクタデカンジオールの混合物である。
【００５５】
当該典型的な組成物及び比較の組成物は、６０ｍＭ／Ｋｇの高過塩基性カルシウムスルホネート洗浄剤、０．２ｗｔ％の分散剤（分散剤を有しなかった参考例６及び７を除く）、０．０５ｗｔ％の酸化防止剤、及び抑泡剤を更に含んだ。各々の組成物は、約６ｍｇＫＯＨ／ｇのＴＢＮにブレンドされた。
【００５６】
ＳＡＥ  Ｎｏ．２摩擦試験
以下の条件下でのＳＡＥ  Ｎｏ．２摩擦試験を使用して、上記の組成物を評価した：
・ディスク：ペーパーディスク
・板：鋼板
・モーター回転速度：２９４０ｒｐｍ
・加圧力：２０ｋｇ／ｃｍ２
・潤滑剤温度：８０℃
【００５７】
はく離摩擦係数（μ０）としてクラッチのエンゲージングポイントでの摩擦係数及び動摩擦係数（μｄ）として１２００ｒｐｍの値をとることによって、測定を実施した。０．７ｒｐｍでエンゲージングポイントでの最大摩擦係数を、静摩擦係数（μｓ）として測定した。
【００５８】
結果を、以下の表２に要約する：
【表２】
0006513098.tif 000006
【００５９】
ブレーキノイズ試験
ストレートダブルブレーキ、ストレート交互ブレーキ、及びターンシングルブレーキを適用して、１２００〜１８００ｒｐｍでローギヤ（ローＩギヤ、ローＩＩギヤ、及びローＩＩＩギヤ）でトラクターを運転した。ノイズレベルは、耳により、“無ノイズ”、“ノイズ”、及び“重いノイズ”として決定した。最初に、新規の試験油でのトラクターを、０％ｖｏｌ水で試験する。その後、０．１ｖｏｌ％の量の水を添加し、そして、当該運転／制動条件で当該トラクターを試験する。ブレーキノイズが起こるか又は水汚染が０．２ｖｏｌ％になるまで、サイクルを繰り返す。
【００６０】
結果を、以下の表３に要約する：
【表３】
0006513098.tif 000007
【００６１】
表２に示されるように、全ての典型的な組成物（Ｅｘ  １−４）は、ＳＡＥ  Ｎｏ．２摩擦試験での全ての評価摩擦特性、すなわち、μｄ、μｓ、及びμｏ／μｄの合格基準を満たした。その上、典型的な組成物（Ｅｘ  １−４）は、参考例２、３及び６に匹敵する摩擦特性及び参考例１、４、５及び７よりも優れた摩擦特性を示した。
【００６２】
表３に示されるように、全ての典型的な組成物（Ｅｘ  １−４）は、ブレーキノイズ試験の合格基準を満たした。当該典型的な組成物は、参考例２、３及び６とは対照的に、０．１ｖｏｌ％水で汚染された時でさえ、アンチノイズ特性を示した。
【００６３】
比較例（Ｒｅｆ  １〜７）とは対照的に、当該典型的な組成物は、ＳＡＥ  Ｎｏ．２摩擦試験及びブレーキノイズ試験の両方で全ての合格基準を満たした。工業規格は、優れた摩擦特性と、同時に、例えばブレーキノイズなどの水汚染の負の影響を最小限に抑える又は妨げる能力を提供することを、トラクター用作動液組成物に頻繁に要求する。当該典型的な組成物は、ＳＡＥ  Ｎｏ．２摩擦試験及びブレーキノイズ試験の両方に合格することを例証する。
【００６４】
上記の本発明の形態は、単に典型的なものであることを意図しており、当業者は、より多くのルーチン実験、特定の化合物、材料及び手順の多数の同等物を使用する必要がないことを認識し確認できるであろう。全てのそのような同等物は、本発明の範囲内と認識され、そして、添付の特許請求の範囲によって包含される。
【００６５】
ここに言及する全ての特許、特許出願及び公報は、それらの全体をここに組み込む。本出願におけるいかなる引例の認識又は引用は、そのような引例が本発明に対する先行技術として利用できることの承認ではない。本発明の全部の範囲は、添付の特許請求の範囲を参照して容易に理解される。
本発明に関連して、以下の内容を更に開示する。
［１］
以下を含むトラクター用作動液組成物：
（ａ）主要量の潤滑粘度の油；
（ｂ）以下を含む清浄剤組成物
（ｉ）少なくとも１種の中性又は低過塩基性アルカリールスルホネートカルシウム塩であって、
ここで、当該アルカリール基は、プロピレン又はイソブチレンオリゴマーから導かれるアルキル基で置換されたアリール基である；及び
（ｉｉ）少なくとも１種の中性又は低過塩基性アルカリールスルホネートカルシウム塩であって、
ここで、当該アルカリール基は、少なくとも１種のノルマルアルファオレフィン又は異性化されたノルマルアルファオレフィンから導かれるアルキル基で置換されたアリール基であり、前記オレフィンは約１８〜約３０個の炭素原子を有する；
（ｃ）少なくとも１種のヒドロカルビル多価アルコールであって、
ここで、当該少なくとも１種のヒドロカルビル多価アルコールは、（ａ）当該トラクター用作動液組成物の０．０１〜５重量％であり、そして、（ｂ）グリセロールではない；及び
（ｄ）第二級アルキル基を有する少なくとも１種のジアルキルジチオリン酸亜鉛であって；
ここで、第二級アルキル基を有する当該少なくとも１種のジアルキルジチオリン酸亜鉛からのリン含有量は、当該トラクター用作動液組成物中に存在する全てのジアルキルジチオリン酸亜鉛から導かれるリン含有量の少なくとも３０重量％である。
［２］
（ｂ）（ｉ）又は（ｂ）（ｉｉ）の少なくとも１種の中性又は低過塩基性アルカリールスルホネートカルシウム塩のアルカリール基が、アルキル置換ベンゼン基又はアルキル置換トリル基である、［１］のトラクター用作動液組成物。
［３］
（ｂ）（ｉ）及び（ｂ）（ｉｉ）の少なくとも１種のアルカリールスルホネートカルシウム塩の各々が、９０未満の全アルカリ価を有する低過塩基性塩である、［１］のトラクター用作動液組成物。
［４］
全アルカリ価が２〜６０である、［３］のトラクター用作動液組成物。
［５］
第二級アルキル基を有する当該少なくとも１種のジアルキルジチオリン酸亜鉛からのリン含有量は、当該トラクター用作動液組成物中に存在する全てのジアルキルジチオリン酸亜鉛から導かれるリン含有量の少なくとも５０重量％である、［１］のトラクター用作動液組成物。
［６］
当該油組成物中に存在するプロピレン又はイソブチレンオリゴマーから導かれるアルキル基で置換されたアリール基であるアルカリール基を有する全ての当該少なくとも１種の中性又は低過塩基性アルカリールスルホネートカルシウム塩のカルシウム含有量が、当該トラクター用作動液組成物の０．００１〜０．４重量％である、［１］のトラクター用作動液組成物。
［７］
約１８〜約３０個の炭素原子を有するオレフィンである少なくとも１種のノルマルアルファオレフィン又は異性化されたノルマルアルファオレフィンから導かれるアルキル基で置換されたアリール基であるアルカリール基を有する当該少なくとも１種の中性又は低過塩基性アルカリールスルホネートカルシウム塩は、当該トラクター用作動液組成物の０．００１〜０．４重量％である、［１］のトラクター用作動液組成物。
［８］
（ｂ）（ｉ）の当該少なくとも１種のアルカリールスルホネートカルシウム塩の当該アルキル基が、プロピレンオリゴマーから導かれる、［１］のトラクター用作動液組成物。
［９］
当該少なくとも１種のヒドロカルビル多価アルコールが、アルカン１，２−ジオール又はアルケン１，２−ジオールである、［１］のトラクター用作動液組成物。
［１０］
当該ヒドロカルビル多価アルコールが１２〜３０個の炭素原子を有する、［９］のトラクター用作動液組成物。
［１１］
当該少なくとも１種のヒドロカルビル多価アルコールが、当該トラクター用作動液組成物の０．０１〜２重量％である、［１］のトラクター用作動液組成物。
［１２］
第二級アルキル基を有する当該少なくとも１種のジアルキルジチオリン酸亜鉛からのリン含有量が、当該トラクター用作動液組成物中に存在する全てのジアルキルジチオリン酸亜鉛から導かれるリン含有量の少なくとも７５重量％である、［１］のトラクター用作動液組成物。
［１３］
当該トラクター用作動液組成物が少なくとも１種の窒素含有分散剤を更に含み、しかも、当該油組成物中に存在する全ての当該少なくとも１種の窒素分散剤の窒素が、当該トラクター用作動液組成物の０．０１〜１．０重量％である、［１］のトラクター用作動液組成物。
［１４］
当該トラクター用作動液組成物が、高過塩基性アルカリールスルホネートアルカリ土類金属塩を更に含む、［１］のトラクター用作動液組成物。
［１５］
当該トラクター用作動液組成物が、中性又は過塩基性アルカリ土類金属フェネート塩を含有しない、［１］のトラクター用作動液組成物。
［１６］
当該トラクター用作動液組成物が、マグネシウムヒドロカルビルスルホネートを含有しない、［１］のトラクター用作動液組成物。
［１７］
当該トラクター用作動液組成物が、亜リン酸水素ジアルキルを含有しない、［１］のトラクター用作動液組成物。
［１８］
当該トラクター用作動液組成物が、第一級アルキル基を有するジアルキルジチオリン酸亜鉛を更に含む、［１］のトラクター用作動液組成物。
［１９］
当該トラクター用作動液が、酸化防止剤を更に含む、［１］のトラクター用作動液組成物。